(57)【要約】【目的】  取り付け場所を選ばない破魔矢およびその製造方法を提供する。【構成】  破魔矢の製造工程において、軸部材３０の中央下部に、所定サイズの御札５５を貼付できる領域を持った台紙４５を取り付けておく。一方、その台紙４５とは別に複数種類の御札５５を用意しておくことで、納入先にかかわらず破魔矢の本体部分を共通化でき、納入先に応じた御札５５を貼付する工程によって効率的に破魔矢を製造可能となる。【選択図】        図３
2006043197.tif 000002
【特許請求の範囲】
【請求項１】
長軸円柱状の軸部材の一方の端部近傍に複数枚の羽根を装着してなる破魔矢であって、
前記羽根の直下に配置された少なくとも２個の鈴と、
前記軸部材の略中央部に取り付けられた、あらかじめ所定事項が印字された所定の大きさの御札とを備え、
前記鈴は前記軸部材に結び付けた所定長の紐を挿通して支持された部材に移動可能に懸吊されていることを特徴とする破魔矢。
【請求項２】
さらに、当該破魔矢全体を支持可能な支持部材を有することを特徴とする請求項１記載の破魔矢。
【請求項３】
さらに、前記軸部材の他方の先端に蕪状部材を取り付けて鏑矢状破魔矢とすることを特徴とする請求項２記載の破魔矢。
【請求項４】
長軸円柱状の軸部材の一方の端部近傍に複数枚の羽根を装着するステップと、
当該破魔矢全体を支持可能な支持部材を装着するステップと、
前記羽根の直下に少なくとも２個の鈴を配置するステップと、
前記軸部材の略中央部にあらかじめ所定事項が印字された所定の大きさの御札を貼付するステップとを備え、
前記鈴は前記軸部材に結び付けた所定長の紐を挿通して支持された部材に移動可能に懸吊されていることを特徴とする破魔矢の製造方法。
【請求項５】
さらに、前記軸部材の他方の先端に蕪状部材を取り付けるステップを備え、全体を鏑矢状破魔矢とすることを特徴とする請求項４記載の破魔矢の製造方法。
【請求項６】
長軸円柱状の軸部材の一方の端部近傍に複数枚の羽根を装着してなる破魔矢であって、
前記羽根の直下に配置された少なくとも２個の鈴と、
前記軸部材の中央下部に取り付けられた台紙部材とを備え、
前記台紙部材は、あらかじめ所定事項が印字された所定の大きさの御札を貼付できる領域を有することを特徴とする破魔矢。
【請求項７】
前記鈴は略瓢箪形の形状を有しており、前記軸部材に結び付けた所定長の紐を挿通して支持された部材に移動可能に懸吊されていることを特徴とする請求項６記載の破魔矢。
【請求項８】
さらに、当該破魔矢全体を支持可能な支持部材を有することを特徴とする請求項７記載の破魔矢。
【請求項９】
さらに、前記軸部材の他方の先端に蕪状部材を取り付けて鏑矢状破魔矢とすることを特徴とする請求項８記載の破魔矢。
【請求項１０】
長軸円柱状の軸部材の一方の端部近傍に複数枚の羽根を装着するステップと、
当該破魔矢全体を支持可能な支持部材を装着するステップと、
前記軸部材の中央下部に台紙部材を取り付けるステップと、
前記羽根の直下に少なくとも２個の鈴を配置するステップとを備え、
前記台紙部材は、あらかじめ所定事項が印字された所定の大きさの御札を貼付できる領域を有することを特徴とする破魔矢の製造方法。
【請求項１１】
さらに、前記御札を前記台紙部材に貼付するステップを備えることを特徴とする請求項１０記載の破魔矢の製造方法。
【請求項１２】
さらに、前記軸部材の他方の先端に蕪状部材を取り付けるステップを備え、全体を鏑矢状破魔矢とすることを特徴とする請求項１１記載の破魔矢の製造方法。
【請求項１３】
前記鈴は略瓢箪形の形状を有しており、前記軸部材に結び付けた所定長の紐を挿通して支持された部材に移動可能に懸吊されていることを特徴とする請求項１２記載の破魔矢の製造方法。
【発明の詳細な説明】
【技術分野】
【０００１】
本発明は、例えば、魔除けや家内安全等の縁起物として愛用されている破魔矢およびその製造方法に関するものである。
【背景技術】
【０００２】
古来より弓と矢に対しては魔除けの信仰があり、それに由来して、破魔矢（飾り矢）は、正月の縁起物、あるいはお守りとして神社や仏閣において参拝客等に授与されるに至ったものであり、今日では厄除けのための祭祀用品として人々に広く愛用されている。また、破魔矢は、その外観上の美しさから装飾品としての需要も高い。
【０００３】
そこで、破魔矢を壁に立て掛けたり、鴨居の溝内に差し込む等、従来の装飾方法では、破魔矢の装飾品としての効果を高めることができないとして、例えば、特許文献１には、基板上に支持部を設けた、破魔矢の飾り用具が開示されている。
【０００４】
【特許文献１】特開平９−１５４７０７号公報
【発明の開示】
【発明が解決しようとする課題】
【０００５】
従来の破魔矢は、上記のように室内装飾品として建物や家屋内の一角に載置して愛用される傾向が強いため、その全体的な大きさに配慮がなされておらず、例えば、今日において人々の移動空間として重要な位置を占める乗用車等の車輌内等、比較的狭い空間において邪魔にならない程度に飾ることが難しいという問題がある。
【０００６】
すなわち、従来の破魔矢において、その使用者あるいは愛用者が取り付け場所や設置場所を任意に選ぶことのできる程度の大きさのものが入手できないという問題があった。
【０００７】
本発明は、上述した課題に鑑みなされたものであり、その目的とするところは、取り付け場所を選ばない小型の破魔矢およびその製造方法を提供することである。
【０００８】
本発明の他の目的は、複数の異なる納入先があっても、破魔矢の製品管理や製造工程が複雑化しない破魔矢およびその製造方法を提供することである。
【課題を解決するための手段】
【０００９】
かかる目的を達成し、上述した課題を解決する一手段として、例えば、以下の構成を備える。すなわち、本発明は、長軸円柱状の軸部材の一方の端部近傍に複数枚の羽根を装着してなる破魔矢であって、前記羽根の直下に配置された少なくとも２個の鈴と、前記軸部材の略中央部に取り付けられた、あらかじめ所定事項が印字された所定の大きさの御札とを備え、前記鈴は前記軸部材に結び付けた所定長の紐を挿通して支持された部材に移動可能に懸吊されていることを特徴とする。
【００１０】
例えば、さらに、当該破魔矢全体を支持可能な支持部材を有することを特徴とする。また、例えば、さらに、前記軸部材の他方の先端に蕪状部材を取り付けて鏑矢状破魔矢とすることを特徴とする。
【００１１】
上述した課題を解決する他の手段として、例えば、以下の構成を備える。すなわち、本発明に係る破魔矢の製造方法は、長軸円柱状の軸部材の一方の端部近傍に複数枚の羽根を装着するステップと、当該破魔矢全体を支持可能な支持部材を装着するステップと、前記羽根の直下に少なくとも２個の鈴を配置するステップと、前記軸部材の略中央部にあらかじめ所定事項が印字された所定の大きさの御札を貼付するステップとを備え、前記鈴は前記軸部材に結び付けた所定長の紐を挿通して支持された部材に移動可能に懸吊されていることを特徴とする。
【００１２】
例えば、さらに、前記軸部材の他方の先端に蕪状部材を取り付けるステップを備え、全体を鏑矢状破魔矢とすることを特徴とする。
【００１３】
上述した課題を解決する他の手段として、例えば、以下の構成を備える。すなわち、本発明は、長軸円柱状の軸部材の一方の端部近傍に複数枚の羽根を装着してなる破魔矢であって、前記羽根の直下に配置された少なくとも２個の鈴と、前記軸部材の中央下部に取り付けられた台紙部材とを備え、前記台紙部材は、あらかじめ所定事項が印字された所定の大きさの御札を貼付できる領域を有することを特徴とする。
【００１４】
例えば、前記鈴は瓢箪形の形状を有しており、前記軸部材に結び付けた所定長の紐を挿通して支持された部材に移動可能に懸吊されていることを特徴とする。
【００１５】
例えば、さらに、当該破魔矢全体を支持可能な支持部材を有することを特徴とする。また、例えば、さらに、前記軸部材の他方の先端に蕪状部材を取り付けて鏑矢状破魔矢とすることを特徴とする。
【００１６】
さらに、上述した課題を解決する他の手段として、例えば、以下の構成を備える。すなわち、本発明に係る破魔矢の製造方法は、長軸円柱状の軸部材の一方の端部近傍に複数枚の羽根を装着するステップと、当該破魔矢全体を支持可能な支持部材を装着するステップと、前記軸部材の中央下部に台紙部材を取り付けるステップと、前記羽根の直下に少なくとも２個の鈴を配置するステップとを備え、前記台紙部材は、あらかじめ所定事項が印字された所定の大きさの御札を貼付できる領域を有することを特徴とする。
【００１７】
例えば、さらに、前記御札を前記台紙部材に貼付するステップを備えることを特徴とする。また、例えば、さらに、前記軸部材の他方の先端に蕪状部材を取り付けるステップを備え、全体を鏑矢状破魔矢とすることを特徴とする。
【００１８】
また、例えば、前記鈴は瓢箪形の形状を有しており、前記軸部材に結び付けた所定長の紐を挿通して支持された部材に移動可能に懸吊されていることを特徴とする。
【発明の効果】
【００１９】
本発明によれば、小型の破魔矢を効率的に製造でき、しかも、その製品管理が容易になるという効果がある。
【発明を実施するための最良の形態】
【００２０】
以下、添付図面を参照して、本発明に係る実施の形態例を詳細に説明する。
［第１の実施の形態例］
図１は、本発明の第１の実施の形態例に係る破魔矢（飾り矢）の製造過程を時系列で示す図である。また、図２は、第１の実施の形態例に係る破魔矢の製造工程を示すフローチャートである。
【００２１】
本発明の第１の実施の形態例に係る破魔矢は、最初の製造工程である図２のステップＳ１１において、図１（ａ）に示すように、全体が所定の色に着色された長軸円柱状の軸部材１０の一方の端部近傍に装飾用のテープを巻き付ける。図１の（ａ）に示す例では、金色の装飾用のテープ１ａ，１ｂを巻き付ける。続くステップＳ１３では、上記のテーピングをした部分を含む軸部材１０の端部近傍周囲に、図１の（ｂ）に示すように、軸方向から見て互いに約１２０°の角度を保持した状態で、３枚の羽根２ａ〜２ｃを取り付ける。これらの羽根２ａ〜２ｃの取り付けには、例えば、速乾性の接着剤を使用する。
【００２２】
ステップＳ１５では、後述するリング部材６に２個の鈴４ａ，４ｂを付ける。鈴４ａ，４ｂは、一方が金色、他方が銀色にメッキされており、それぞれの頭頂部には、リング部材６に挿通可能なように貫通孔が設けられた吊下げ部１４ａ，１４ｂが配されている。続くステップＳ１７において、図１（ｃ）に示すように、破魔矢自体をガラス面や平らな板等に固定可能にするための吸盤１１を装着する。吸盤１１は、その底部１１ｂに不図示の孔を有しており、その孔に固定用の紐１１ａを通した後、底部１１ｂを軸部材１０に密着させる。そして、そのまま紐１１ａを軸部材１０に巻き付けることで吸盤１１を固定する。なお、破魔矢全体を固定するための部材として、上記の吸盤に限定されず、例えば、接着テープや磁石（マグネット）等でもよい。
【００２３】
ステップＳ１９では、まず、羽根２ａ〜２ｃが配された箇所の直下部分であって、軸部材１０の中央上部に飾り紐３を一回結び（図１（ｄ）の符号８で示す部分）、その後、上記のステップＳ１５で２個の鈴４ａ，４ｂを取り付けた金属製のリング部材６に飾り紐３を通過させる。そして、図１の（ｅ）に示すように、リング部材６に吊るされた２個の鈴４ａ，４ｂを、飾り紐３によって軸部材１０に結び付け、飾り紐３の残余部分を利用して蝶結びをする（図１（ｅ）において符号９で示す）。その際、結び目の前面部分にリング部材６が配されるようにすることで、２個の鈴４ａ，４ｂも前面に位置するため、リング部材６に沿って２個の鈴４ａ，４ｂが自在に移動可能となる。
【００２４】
ステップＳ２１において、図１の（ｆ）に示すように、軸部材１０の略中央部に御札１５を貼り付ける。御札１５には、あらかじめ寺社名等が印刷されており、それを所定の大きさに折ってから、その印刷面が破魔矢の正面にくるように、例えば、速乾性の接着剤を使用して軸部材１０に貼り付ける。その後、ステップＳ２３において、軸部材１０の羽根２ａ〜２ｃが配されている端部と反対側の先端部分に、全体が蕪の形をした鏑７を取り付ける。こうすることで、図１（ｆ）に示すように、破魔矢が鏑矢状破魔矢として構成される。
【００２５】
このように、第１の実施の形態例によれば、金色、銀色の２個の鈴、蝶結びした飾り紐等からなる破魔矢の本体と寺社名等が表された御札とを一体化して製造でき、全体が小型化された破魔矢を提供できる。
【００２６】
なお、上記第１の実施の形態例に係る破魔矢において、羽根２ａ〜２ｃの一部を着色して、軸部材１０と飾り紐３も、羽根の着色と同系色で統一することで、着色による破魔矢の装飾機能が向上し、色の種類も数色、用意することで、愛用者の好みに応じた、引き立つ破魔矢を提供できる。
【００２７】
［第２の実施の形態例］
以下、本発明の第２の実施の形態例について詳細に説明する。図３は、第２の実施の形態例に係る破魔矢（飾り矢）の製造過程を時系列で示す図である。また、図４は、第２の実施の形態例に係る破魔矢の製造工程を示すフローチャートである。上述した第１の実施の形態例では、破魔矢本体と寺社名等が表された御札とを一体化して製造しているが、第２の実施の形態例では、破魔矢本体と御札とを別工程で製造する。
【００２８】
第２の実施の形態例に係る破魔矢の最初の製造工程（図４のステップＳ４１）において、図３（ａ）に示すように、全体が所定の色に着色された長軸円柱状の軸部材３０の一方の端部近傍に装飾用のテープを巻き付ける。図３（ａ）に示す例では、金色の装飾用のテープ３１ａ，３１ｂを巻き付けている。続くステップＳ４３では、上記のテーピングをした部分を含む軸部材３０の端部近傍周囲に、上述した第１の実施の形態例に係る破魔矢と同様、軸方向から見て互いに約１２０°の角度を保持した状態で、３枚の羽根３２ａ〜３２ｃを取り付ける（図３の（ｂ）参照）。
【００２９】
ステップＳ４５では、金属製のリング部材４６に２個の鈴５４ａ，５４ｂを付ける。鈴５４ａ，５４ｂは、一方が金色、他方が銀色にメッキされており、それぞれの頭頂部には、リング部材４６に挿通可能なように貫通孔が設けられた吊下げ部３４ａ，３４ｂが配されている。
【００３０】
ステップＳ４７において、破魔矢をガラス面や平らな板等に固定可能にするための吸盤４１を装着する。ここでは、吸盤４１の底部４１ｂに配された不図示の孔に、固定用の紐４１ａを通し、底部４１ｂを軸部材３０に密着させる。そして、図３（ｃ）に示すように、紐４１ａを軸部材３０に巻き付けることで吸盤４１を固定する。第１の実施の形態例に係る破魔矢と同様、破魔矢全体を固定するための部材として吸盤に限定されず、例えば、接着テープや磁石（マグネット）等でもよい。
【００３１】
ステップＳ４９において、軸部材３０の中央下部に台紙４５を取り付ける。この台紙４５は、図３（ｄ）に示す所定の形状となるように折り畳んだ構造を有し、後述する御札を貼り付け可能にするため、その貼付面４５ａ，４５ｂが外側（破魔矢の正面）となるように、軸部材３０を囲むとともに前面と背面から挟む形で配されている。
【００３２】
ステップＳ５１において、図１の（ｅ）に示すように飾り紐４３によって２個の鈴５４ａ，５４ｂを軸部材３０に結び付ける。より具体的には、軸部材３０の羽根３２ａ〜３２ｃが配された箇所の直下部分（すなわち、軸部材３０の中央上部）に飾り紐４３を一回結び、その後、上記のステップＳ４５において２個の鈴５４ａ，５４ｂを付けたリング部材４６に飾り紐４３を通過させる。そして、飾り紐４３の残余部分を利用して蝶結びをする（図１（ｆ）の符号４９参照）。その際、結び目の前面部分にリング部材４６が配されるようにする。そうすることで、２個の鈴５４ａ，５４ｂも前面に位置するため、リング部材４６に沿って２個の鈴５４ａ，５４ｂが自在に移動可能となる。
【００３３】
ステップＳ５３では、図１の（ｆ）に示すように軸部材３０の羽根３２ａ〜３２ｃが配されている端部と反対側の先端部分に、全体が蕪の形をした鏑４７を取り付ける。こうすることで、破魔矢が鏑矢状破魔矢として構成される。
【００３４】
図５は、本実施の形態例に係る小型の破魔矢全体の外観構成を示す斜視図である。図５に示す破魔矢５０は、全長が例えば、約１３〜１４ｃｍであり、その略中央部において、蝶結びされた飾り紐４３の結び目に２個の鈴５４ａ，５４ｂがぶら下がる構造を有している。上述したように、これら２個の鈴５４ａ，５４ｂは、リング部材４６に沿って自在に移動できるため、その移動に伴って鈴が互いにぶつかり合い、鈴の音が鳴り響く構成になっている。
【００３５】
鈴５４ａ，５４ｂの下部に位置する台紙５５の貼付面４５ａ，４５ｂには、寺社名等が印刷された御札５５を貼り付けることができる。このように、第２の実施の形態例に係る破魔矢において、台紙４５と御札５５とが別部材となる構成を採用することで、破魔矢５０の本体部分を共通にして御札５５のみを換えた形態で、破魔矢の授与を行う、異なる複数の寺社について対応が可能となる。よって、かかる破魔矢の納入先に応じた特定の事項が印字された御札５５を、既に軸部材３０に取り付けられた台紙４５に貼付する作業（工程）は、上述した破魔矢本体の製造工程とは別の工程として、図４のステップＳ５３の後に行うことになる。
【００３６】
図６は、本実施の形態例に係る破魔矢の鈴５４ａ，５４ｂについて説明するための図である。また、図７は、上記の鈴５４ａ，５４ｂとの対比において、リング部材４６に球形の鈴７３ａ，７３ｂをぶら下げたときの様子を示している。図６に示すように、本実施の形態例に係る破魔矢を構成する鈴５４ａ，５４ｂは、各々が瓢箪の形状を有しており、それぞれの頭頂部には、リング部材４６に挿通可能なように貫通孔が設けられた吊下げ部３４ａ，３４ｂが配されている。
【００３７】
一方、図７に示す鈴７３ａ，７３ｂは、その頭頂部に吊下げ部７１ａ，７１ｂが配された、全体が球形の鈴である。そこで、本実施の形態例に係る破魔矢において、鈴５４ａ，５４ｂの形状を瓢箪形としたことの特徴について、球形の鈴との対比において以下に説明する。なお、鈴５４ａ，５４ｂの吊下げ部３４ａ，３４ｂと、鈴７３ａ，７３ｂの吊下げ部７１ａ，７１ｂは、ともに同一形状、かつ同一寸法である。
【００３８】
図７に示すように、鈴が球形の場合、リング部材４６にぶら下がりながら互いに接する鈴７３ａ，７３ｂの中心軸のなす角度θ2は、図６に示す瓢箪形状の鈴５４ａ，５４ｂの中心軸のなす角度θ1に比べて大きい。これは、鈴の形状の違いにより、リング部材４６の中心点から鈴の底部までの長さ（瓢箪形状の鈴の場合をＬ１とし、球形の鈴の場合をＬ２とする）が、Ｌ１＞Ｌ２の関係にあるからである。また、２つの鈴が互いに接した状態では、図７に示す鈴７３ａ，７３ｂの方が、図６に示す鈴５４ａ，５４ｂよりも横方向に広がる。
【００３９】
さらに、鈴の重心に着目すると、鈴７３ａ，７３ｂよりも鈴５４ａ，５４ｂの方が、その本体部分の形状や吊り下げ位置の違いから、重心が下にある。よって、リング部材４６にぶら下がった状態では、瓢箪形状の鈴５４ａ，５４ｂの方が、球形の鈴７３ａ，７３ｂに比べて、物理的にも、また外観上も安定感がある。このことは、鈴５４ａ，５４ｂの方がいわゆる座りが良くなり、安定性が増し、しかも、それにより破魔矢における鈴の装飾的効果が向上することを意味している。
【００４０】
また、図６に示すように鈴が瓢箪形の場合、それと同一径の球形の鈴に比べて内容積が大きくなるため、鈴の共鳴空間を大きくとることができる。そのため、瓢箪形の鈴は、音響効果が球形の鈴とは異なったものとなり、球形の鈴とは異なる音色の音を発する。
【００４１】
さらには、瓢箪形状そのものが、縁起物としての千成瓢箪を想起させるため、鈴５４ａ，５４ｂと相俟って、本実施の形態例に係る破魔矢そのものが幸運を呼び込む縁起物として、それを愛用する人々の間に位置づけられ、祭祀用品としての機能がいかんなく発揮されることになる。
【００４２】
なお、本実施の形態例に係る破魔矢においても、上記第１の実施の形態例に係る破魔矢と同様、羽根３２ａ〜３２ｃの一部が着色されており、軸部材３０と飾り紐４３も、羽根の着色と同系色で統一されている。そのため、着色による破魔矢の装飾機能が向上するだけでなく、数種類の色のものを用意することで、愛用者の好みに応じた、引き立つ破魔矢を提供できる。
【００４３】
図８は、本実施の形態例に係る破魔矢の梱包状態等を示している。図８に示すように、台座８１の上面には、複数の破魔矢５０が互いに接触しない程度の間隔で並べることができるように、複数の穴８２が略等間隔に列状に空けられている。これらの穴８２の穴径は、破魔矢５０の軸部材３０の軸径と略同じである。そこで、これらの穴８２に、納入等に必要な数の破魔矢５０を差し込んだまま、台座８１全体に上蓋８４を被せることにより、破魔矢全体を梱包し、輸送することができる。
【００４４】
また、上蓋８４を外し、台座８１に破魔矢５０を差し込んだ状態で、例えば、寺社の参拝客の目に触れる場所である授与所に置くことで、そのまま破魔矢のディスプレーとして使用できる。さらには、台座８１を紙製とすることによって、使用後における廃棄の際、そのまま焼却等しても環境汚染物質や人体等に有害な物質は発生しないという利点がある。
【００４５】
以上説明したように、本実施の形態例によれば、破魔矢の製造工程において軸の所定箇所に台紙を取り付けておき、その台紙とは別に複数種類の御札を用意しておくことで、破魔矢の納入先に応じた御札を適宜、貼り付けることができ、その納入先にかかわらず本体部分を共通化できる。そのため、複数の異なる寺社に収める破魔矢を効率的に製造でき、その製品としての管理も容易になるという効果がある。換言すれば、納入先に応じて個別に破魔矢全体を完成品として製造する必要がなく、納入先が多くなればなる程、その製品管理や製造工程が複雑になるという問題を回避できる。
【００４６】
また、破魔矢そのものを小型化することで、場所を選ばず、あらゆるところに取り付け可能となり、さらには、持ち運び自在となることから、短期滞在先や旅先等へ持参することもできる。特に、破魔矢の中央部に配された吸盤を利用して乗用車等のフロントガラスに固定しても運転の邪魔になることもないため、交通安全を護るお守りとしてだけでなく、車内装飾品としても利用できる。
【００４７】
さらには、鈴の形状を瓢箪形にすることで、球形の鈴に比べて内容積が増えることから共鳴空間を大きくすることができるため、鈴の音響効果の向上を図ることが可能となる。また、破魔矢に配する鈴の形状を瓢箪形とすることで、球形の鈴に比べて重心が下方にある分だけ物理的に安定性が増し、外観上も安定感があるため、鈴の装飾的効果も向上する。
【００４８】
なお、本発明は、上述した第１および第２の実施の形態例に限定されるものではなく、発明の趣旨を逸脱しない範囲において種々の変形が可能である。例えば、吸盤１１，４１の固定に紐を使用せず、吸盤１１，４１の底部１１ｂ，４１ｂに軸部材１０，３０と略同一径の穴をあらかじめ設けておき、その穴に軸部材１０，３０を貫通させて吸盤１１，４１を固定するようにしてもよい。そうすることで、吸盤の取り付け工程を簡略化することができ、破魔矢の生産効率も向上する。
【図面の簡単な説明】
【００４９】
【図１】本発明の第１の実施の形態例に係る破魔矢（飾り矢）の製造過程を時系列で示す図である。
【図２】第１の実施の形態例に係る破魔矢の製造工程を示すフローチャートである。
【図３】本発明の第２の実施の形態例に係る破魔矢（飾り矢）の製造過程を時系列で示す図である。
【図４】第２の実施の形態例に係る破魔矢の製造工程を示すフローチャートである。
【図５】第２の実施の形態例に係る小型の破魔矢全体の外観構成を示す斜視図である。
【図６】実施の形態例に係る破魔矢の鈴を説明するための図である。
【図７】リング部材に球形の鈴をぶら下げたときの様子を示す図である。
【図８】実施の形態例に係る破魔矢の梱包状態等を示す図である。
【符号の説明】
【００５０】
１ａ，１ｂ，３１ａ，３１ｂ    装飾用テープ
２ａ〜２ｃ，３２ａ〜３２ｃ    羽根
３，４３    飾り紐
４ａ，４ｂ，５４ａ，５４ｂ，７３ａ，７３ｂ    鈴
６，４６    リング部材
７，４７    鏑
１０，３０    軸部材
１１，４１    吸盤
１１ａ，４１ａ    固定用の紐
５，５５    御札
１４ａ，１４ｂ，３４ａ，３４ｂ    吊下げ部
４５    台紙
４５ａ，４５ｂ    貼付面
５０    破魔矢
８１    台座
８２    穴
８４    上蓋
【図１】
2006043197.tif 000003
【図２】
2006043197.tif 000004
【図３】
2006043197.tif 000005
【図４】
2006043197.tif 000006
【図５】
2006043197.tif 000007
【図６】
2006043197.tif 000008
【図７】
2006043197.tif 000009
【図８】
2006043197.tif 000010